【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
ユーザ装置から第１のネットワーク要素へのデータの再送回数を表す大きさを具備した再送シーケンス番号信号を無線インターフェイス上において前記ユーザ装置から前記第１のネットワーク要素内において受信するステップであって、前記第１のネットワーク要素が再送シーケンス番号を受信したが、前記再送回数を判定することができなかった又は正確に判定することができなかったかどうかを、前記第１のネットワーク要素内において判定するステップと、
前記第１のネットワーク要素が前記ユーザ装置から前記第１のネットワーク要素へのデータの前記再送の実際の回数に関する情報を具備していないことを通知するべく、第２のネットワーク要素に対するフレームプロトコルデータフレームヘッダ上における伝送のために前記第１のネットワーク要素内においてシグナリングを選択するステップと、を含む、方法。
【請求項２】
前記シグナリングが前記第１範囲を上回る第２範囲内の値を具備した複数のコードワードの中から予約された予約コードワードを有しており、前記コードワードの前記値は前記ユーザ装置から前記第１のネットワーク要素へのデータの再送の回数を表しており、第２のネットワーク要素に対するフレームプロトコルデータフレームヘッダ上における伝送のための前記予約コードワードは前記第１のネットワーク要素が前記ユーザ装置から前記第１のネットワーク要素へのデータの前記再送の実際の回数に関する情報を具備していないことを通知している、請求項１に記載の方法。
【請求項３】
前記予約コードワードが、１１１０である、請求項２に記載の方法。
【請求項４】
前記予約コードワードが、１１１１である、請求項２に記載の方法。
【請求項５】
前記予約コードワードは、前記第２レンジの上端から予約されている、請求項２に記載の方法。
【請求項６】
前記第１のネットワーク要素内においてシグナリングを選択することは、前記フレームプロトコルデータフレームヘッダのコードワード内の複数のビットの中からフラグビットの値を選択することを有しており、前記フラグビットの前記値は前記ユーザ装置から前記第１のネットワーク要素へのデータの前記再送の回数を表している前記ヘッダ内における伝送のための値が実際のものであるのか或いは推定値であるのかを表している、請求項１に記載の方法。
【請求項７】
ユーザ装置から機器へのデータの再送の回数を表している大きさを具備した再送シーケンス番号信号を無線インターフェイス上においてユーザ装置から受信する受信機であって、前記回数の値は第１範囲に制限されている、受信機と、
前記機器が、再送シーケンス番号を受信しているが、前記再送の回数を判定することができなかった又は正確に判定することができなかったかどうかを前記機器内において判定する判定器と、
前記機器が、前記ユーザ装置から前記装置へのデータの前記再送の実際の回数に関する情報を具備していないことを通知するべく、ネットワーク要素に対するフレームプロトコルデータフレームヘッダ上における伝送のためのシグナリングを選択するセレクタと、を備える、機器。
【請求項８】
前記シグナリングが前記第１範囲を上回る第２範囲内の値を具備した複数のコードワードの中から予約された予約コードワードを有しており、前記コードワードの前記値は前記ユーザ装置から前記機器へのデータの再送の回数を表しており、前記ネットワーク要素に対するフレームプロトコルデータフレームヘッダ上における伝送のための前記予約コードワードは前記機器が前記ユーザ装置から前記機器へのデータの前記再送の実際の回数に関する情報を具備していないことを通知している、請求項７に記載の機器。
【請求項９】
前記予約コードワードが、１１１１である、請求項８に記載の機器。
【請求項１０】
前記予約コードワードが、１１１０である、請求項８に記載の機器。
【請求項１１】
前記予約コードワードは、前記第２レンジの上端から予約されている、請求項８に記載の機器。
【請求項１２】
前記機器内においてシグナリングを選択する前記セレクタは、前記フレームプロトコルデータフレームヘッダのコードワード内の複数のビットの中からフラグビットの値を選択するセレクタを有しており、前記フラグビットの前記値は前記ユーザ装置から前記機器へのデータの前記再送の回数を表している前記ヘッダ内における伝送のための値が実際のものであるのか或いは推定値であるのかを表している、請求項７に記載の機器。
【請求項１３】
（ａ）  （ｉ）ユーザ装置から前記第１のネットワーク要素へのデータの再送の回数を表している大きさを具備した再送シーケンス番号信号を無線インターフェイス上においてユーザ装置から受信する受信機であって、前記回数の値は第１範囲に制限されている、受信機と、
（ｉｉ）前記第１のネットワーク要素が、再送シーケンス番号を受信しているが、前記再送の回数を判定することができなかった又は正確に判定することができなかったかどうかを前記第１のネットワーク要素内において判定する判定器と、
（ｉｉｉ）前記第１のネットワーク要素が、前記ユーザ装置から前記第１のネットワーク要素へのデータの前記再送の実際の回数に関する情報を具備していないことを通知するべく、第２のネットワーク要素に対するフレームプロトコルデータフレームヘッダ上における伝送のためのシグナリングを選択するセレクタと、を有する基地局と、を備える、第１のネットワーク要素と、
（ｂ）前記再送シーケンス番号信号を前記第１のネットワーク要素に伝送するための無線リンクによって前記第１のネットワーク要素に接続されたユーザ装置と、
を備えるシステム。
【請求項１４】
前記シグナリングは前記第１範囲を上回る第２範囲内の値を具備した複数のコードワードの中から予約された予約コードワードを有しており、前記コードワードの前記値は前記ユーザ装置から前記第１のネットワーク要素へのデータの再送の回数を表しており、前記第２のネットワーク要素に対するフレームプロトコルデータフレームヘッダ上における伝送のための前記予約コードワードは前記第１のネットワーク要素が前記ユーザ装置から前記第１のネットワーク要素へのデータの前記再送の実際の回数に関する情報を具備していないことを通知している、請求項１３に記載のシステム。
【請求項１５】
前記予約コードワードが、１１１１である、請求項１４に記載のシステム。
【請求項１６】
前記予約コードワードが、１１１０である、請求項１４に記載のシステム。
【請求項１７】
前記予約コードワードは、前記第２レンジの上端から予約されている、請求項１４に記載のシステム。
【請求項１８】
前記第２のネットワーク要素が、制御機能において使用される前記フレームプロトコルデータフレームヘッダに応答する、請求項１４に記載のシステム。
【請求項１９】
その間に無線リンクを具備した機器及びユーザ装置を含むネットワーク内において使用される無線ネットワークコントローラであって、前記ネットワーク要素からのフレームプロトコルデータフレームヘッダに応答し、制御機能のための制御信号を供給する信号プロセッサと、
前記制御信号に応答し、前記制御機能用に前記ネットワーク要素に対して出力制御信号を供給する送信機であって、前記ヘッダは前記ネットワーク要素が前記無線リンク上における前記ユーザ装置から前記ネットワーク要素へのデータの再送の実際の回数に関する情報を具備していないことを通知するためのシグナリングを包含可能である、送信機と、
を含む、機器。
【請求項２０】
前記シグナリングは、前記ヘッダの予約コードワードを使用することにより、前記ネットワーク要素が、前記ユーザ装置から前記ネットワーク要素へのデータの前記再送の実際の回数に関する情報を具備していないことを通知する、請求項１９に記載の機器。
【請求項２１】
前記シグナリングは、前記ヘッダ内のフラグを使用することにより、前記ネットワーク要素が前記ユーザ装置から前記ネットワーク要素へのデータの前記再送の実際の回数に関する情報を具備していないことを通知すると共に、前記再送の回数を報告するのに使用される前記ヘッダのコードワードのフィールド内において推定値をも提供している、請求項１９に記載の機器。
【請求項２２】
前記制御機能は、前記ネットワーク要素と前記ユーザ装置の間の前記無線リンクのパワーを制御するためのものである、請求項１９に記載の機器。
【請求項２３】
前記第１のネットワーク要素が基地局であり、前記第２のネットワーク要素がサービング無線ネットワークコントローラである、請求項１ないし６のいずれか１項に記載の方法。
【請求項２４】
前記機器が基地局であり、前記ネットワーク要素がサービング無線ネットワークコントローラである、請求項７ないし１２のいずれか１項に記載の機器。
【請求項２５】
前記第１のネットワーク要素が基地局であり、前記第２のネットワーク要素がサービング無線ネットワークコントローラである、請求項１３ないし１８のいずれか１項に記載のシステム。
【請求項２６】
前記装置がサービング無線ネットワークコントローラであり、前記ネットワーク要素が基地局である、請求項１９ないし２２のいずれか１項に記載の機器。
【請求項２７】
ユーザ装置から基地局へのデータの再送の回数を表す大きさを具備した再送シーケンス番号信号を無線インターフェイス上においてユーザ装置から受信する受信機であって、前記回数の値は第１範囲に制限されている、受信機を有する基地局内において動作するように構成された集積回路であって、
前記集積回路は、前記基地局が、再送シーケンス番号を受信しているが、前記再送の回数を判定することができなかった又は正確に判定することができなかったかどうかを判定する判定器として動作するように構成され、
前記集積回路は、前記基地局が、前記ユーザ装置から前記基地局へのデータの前記再送の実際の回数に関する情報を具備していないことを通知するべく、ネットワーク要素に対するフレームプロトコルデータフレームヘッダ上における伝送のためのシグナリングを選択するセレクタとして動作するように構成される、
集積回路。
【請求項２８】
前記シグナリングは前記第１範囲を上回る第２範囲内の値を具備した複数のコードワードの中から予約された予約コードワードを有しており、前記コードワードの前記値は前記ユーザ装置から前記基地局へのデータの再送の回数を表しており、前記ネットワーク要素に対するフレームプロトコルデータフレームヘッダ上における伝送のための前記予約コードワードは前記基地局が前記ユーザ装置から前記基地局へのデータの前記再送の実際の回数に関する情報を具備していないことを通知している、請求項２７に記載の集積回路。
【請求項２９】
前記予約コードワードが、１１１１である、請求項２８に記載の集積回路。
【請求項３０】
前記予約コードワードが、１１１０である、請求項２８に記載の集積回路。
【請求項３１】
前記予約コードワードは、前記第２レンジの上端から予約されている、請求項２８に記載の集積回路。
【請求項３２】
前記基地局内においてシグナリングを選択する前記セレクタは、前記フレームプロトコルデータフレームヘッダのコードワード内の複数のビットの中からフラグビットの値を選択するセレクタを有しており、前記フラグビットの前記値は前記ユーザ装置から前記基地局へのデータの前記再送の回数を表している前記ヘッダ内における伝送のための値が実際のものであるのか或いは推定値であるのかを表している、請求項２７に記載の集積回路。
【請求項３３】
ユーザ装置と無線リンクを有する基地局を含むネットワークにおける無線ネットワークコントローラ中で動作するように構成された信号プロセッサであって、
前記信号プロセッサが、制御機能のための制御信号を供給し、前記制御機能のため前記基地局に伝送するために、前記基地局からのフレームプロトコルデータフレームヘッダに応答し、
前記データフレームヘッダが、前記ヘッダの予約コードワードを使用することにより、前記基地局が、前記ユーザ装置から前記基地局へのデータの前記再送の実際の回数に関する情報を具備していないことを通知する前記シグナリングを、前記制御機能のための前記制御信号を供給における信号プロセッサによる使用のために、含み得る、信号プロセッサ。
【請求項３４】
前記シグナリングは、前記ヘッダの予約コードワードを使用することにより、前記基地局が、前記ユーザ装置から前記基地局へのデータの前記再送の実際の回数に関する情報を具備していないことを通知する、請求項３３に記載の信号プロセッサ。
【請求項３５】
前記シグナリングは、前記ヘッダ内のフラグを使用することにより、前記基地局が前記ユーザ装置から前記基地局へのデータの前記再送の実際の回数に関する情報を具備していないことを通知すると共に、前記再送の回数を報告するのに使用される前記ヘッダのコードワードのフィールド内において推定値をも提供している、請求項３３に記載の信号プロセッサ。
【請求項３６】
前記制御機能は、前記基地局と前記ユーザ装置の間の前記無線リンクのパワーを制御するためのものである、請求項３３に記載の信号プロセッサ。
【請求項３７】
前記予約コードワードが、１１１１である、請求項３４に記載の信号プロセッサ。
【請求項３８】
前記予約コードワードが、１１１０である、請求項３４に記載の信号プロセッサ。
【請求項３９】
ユーザ装置から第１のネットワーク要素へのデータの再送回数を表す大きさを具備した再送シーケンス番号信号を無線インターフェイス上において前記ユーザ装置から前記第１のネットワーク要素内において受信するステップであって、前記第１のネットワーク要素が再送シーケンス番号を受信したが、前記再送回数を判定することができなかった又は正確に判定することができなかったかどうかを、前記第１のネットワーク要素内において判定するステップと、
前記第１のネットワーク要素が前記ユーザ装置から前記第１のネットワーク要素へのデータの前記再送の実際の回数に関する情報を具備していないことを通知するべく、第２のネットワーク要素に対するフレームプロトコルデータフレームヘッダ上における伝送のために前記第１のネットワーク要素内においてシグナリングを選択するステップと、
を含む方法を実行するために記憶されるコードを含むコンピュータ可読媒体。
【請求項４０】
前記シグナリングは前記第１範囲を上回る第２範囲内の値を具備した複数のコードワードの中から予約された予約コードワードを有しており、前記コードワードの前記値は前記ユーザ装置から前記第１のネットワーク要素へのデータの再送の回数を表しており、第２のネットワーク要素に対するフレームプロトコルデータフレームヘッダ上における伝送のための前記予約コードワードは前記第１のネットワーク要素が前記ユーザ装置から前記第１のネットワーク要素へのデータの前記再送の実際の回数に関する情報を具備していないことを通知している、請求項３９に記載のコンピュータ可読媒体。
【請求項４１】
前記予約コードワードが、１１１０である、請求項４０に記載のコンピュータ可読媒体。
【請求項４２】
前記予約コードワードが、１１１１である、請求項４０に記載の方法。
【請求項４３】
前記予約コードワードは、前記第２レンジの上端から予約されている、請求項４０に記載のコンピュータ可読媒体。
【請求項４４】
前記第１のネットワーク要素内においてシグナリングを選択することは、前記フレームプロトコルデータフレームヘッダのコードワード内の複数のビットの中からフラグビットの値を選択することを有しており、前記フラグビットの前記値は前記ユーザ装置から前記第１のネットワーク要素へのデータの前記再送の回数を表している前記ヘッダ内における伝送のための値が実際のものであるのか或いは推定値であるのかを表している、請求項３９に記載のコンピュータ可読媒体。